(57)【要約】【課題】良品である発光素子を封止する封止部材の信頼性に悪影響を及ぼさないように、不良の発光素子を封止する封止部材を効率的に取り外すことができる、封止部材の取り外し方法、その方法を応用した発光素子の取り外し方法、及びそれらの方法に用いる取り外し用治具を提供する。【解決手段】本発明の一態様として、素子取り外し用の治具１０に備わる爪１２の先端１２ａを基板２０と封止部材２６の間に差し入れ、封止部材２６を基板２０から取り外す、取り外し工程を含み、前記取り外し工程において、爪１２を基板２０側に向けた状態で治具１０を基板２０側へ移動させると、基板２０に押し当てられた爪１２の先端１２ａが、治具１０が基板２０側へ移動するのに伴って基板２０の表面上を摺動し、基板２０と封止部材２６の間に差し入れられる、封止部材２６の取り外し方法を提供する。【選択図】図３
2020102510.tif 000002
【特許請求の範囲】
【請求項１】
基板に実装された発光素子を封止する封止部材の取り外し方法であって、
素子取り外し用の治具に備わる爪の先端を前記基板と前記封止部材の間に差し入れ、前記封止部材を前記基板から取り外す、取り外し工程を含み、
前記取り外し工程において、前記爪を前記基板側に向けた状態で前記治具を前記基板側へ移動させると、前記基板に押し当てられた前記爪の先端が、前記治具が前記基板側へ移動するのに伴って前記基板の表面上を摺動し、前記基板と前記封止部材の間に差し入れられる、
封止部材の取り外し方法。
【請求項２】
前記取り外し工程において、前記爪の先端が、前記基板と前記発光素子の間に差し入れられ、前記発光素子が前記封止部材とともに取り外される、
請求項１に記載の封止部材の取り外し方法。
【請求項３】
前記取り外し工程において、前記封止部材を加熱しながら取り外す、
請求項１又は２に記載の封止部材の取り外し方法。
【請求項４】
前記爪が板バネ材からなる、
請求項１〜３のいずれか１項に記載の封止部材の取り外し方法。
【請求項５】
前記発光素子が、前記基板にフリップチップ実装され、前記基板と前記発光素子の間に前記封止部材の一部が入り込んでいる、
請求項１〜４のいずれか１項に記載の封止部材の取り外し方法。
【請求項６】
前記基板が、板状の基材と、前記基材上の配線と、前記基板の最表面に設けられた、前記基材及び配線よりも摩擦係数が小さい滑り層を有し、
前記取り外し工程において、前記滑り層の表面上を前記爪の先端が摺動する、
請求項１〜５のいずれか１項に記載の封止部材の取り外し方法。
【請求項７】
前記滑り層が白色レジストである、
請求項６に記載の封止部材の取り外し方法。
【請求項８】
前記取り外し工程において、前記基板における前記発光素子が接続される配線が存在しない領域上を前記爪の先端が摺動する、
請求項１〜７のいずれか１項に記載の封止部材の取り外し方法。
【請求項９】
基板に実装された発光素子の取り外し方法であって、
素子取り外し用の治具に備わる爪の先端を、前記基板と前記発光素子の間に差し入れ、前記発光素子を前記基板から取り外す、取り外し工程を含み、
前記取り外し工程において、前記爪を前記基板側に向けた状態で前記治具を前記基板側へ移動させると、前記基板に押し当てられた前記爪の先端が、前記治具が前記基板側へ移動するのに伴って前記基板の表面上を摺動し、前記基板と前記発光素子の間に差し入れられる、
発光素子の取り外し方法。
【請求項１０】
基板に実装された不良の発光素子、前記不良の発光素子を封止する封止部材、又は前記不良の発光素子及び前記封止部材を取り外すための取り外し用治具であって、
基材と、
前記基材に固定された爪と、
を備え、
前記爪を前記基板側に向けた状態で前記取り外し用治具を前記基板側へ移動させると、前記基板に押し当てられた前記爪の先端が、前記取り外し用治具が前記基板側へ移動するのに伴って前記基板の表面上を摺動する、
取り外し用治具。
【発明の詳細な説明】
【技術分野】
【０００１】
本発明は、封止部材の取り外し方法、発光素子の取り外し方法、及び取り外し用治具に関する。
【背景技術】
【０００２】
従来、直下型バックライトなどの多数の発光素子を実装した発光装置の製造工程において、実装後に不良が判明した発光素子を取り外し、良品と交換する処置（リワーク）が取られている（例えば、特許文献１参照）。これは、不良の発光素子が１個でも存在すると、発光装置全体が不良となるためである。
【０００３】
また、製造する発光装置において発光素子が封止部材に封止されている場合は、不良の発光素子を取り外す際に封止部材も取り外す必要があるが、通常、基板と接着された封止部材の取り外しは容易ではない。
【０００４】
特許文献１には、予め基板と封止部材の間に剥離層又は空気層を設けておくことにより、発光素子の不良が判明したときの封止部材の取り外しを容易にする方法が記載されている。
【先行技術文献】
【特許文献】
【０００５】
【特許文献１】特許第６１８２９１６号公報
【発明の概要】
【発明が解決しようとする課題】
【０００６】
しかしながら、特許文献１に記載の方法によれば、交換の必要のない良品である発光素子と基板の間にも剥離層又は空気層が存在し、封止部材の取り外しが容易な状態にある。このため、封止部材が発光装置の動作時の熱などにより膨張した際に、基板から剥離するおそれがある。
【０００７】
本発明の目的は、良品である発光素子を封止する封止部材の信頼性に悪影響を及ぼさないように、不良の発光素子を封止する封止部材を効率的に取り外すことができる、封止部材の取り外し方法、その方法を応用した発光素子の取り外し方法、及びそれらの方法に用いる取り外し用治具を提供することにある。
【課題を解決するための手段】
【０００８】
本発明の一態様は、上記目的を達成するために、下記［１］〜［８］の封止部材の取り外し方法、下記［９］の発光素子の取り外し方法、及び下記［１０］の取り外し用治具を提供する。
【０００９】
［１］基板に実装された発光素子を封止する封止部材の取り外し方法であって、素子取り外し用の治具に備わる爪の先端を前記基板と前記封止部材の間に差し入れ、前記封止部材を前記基板から取り外す、取り外し工程を含み、前記取り外し工程において、前記爪を前記基板側に向けた状態で前記治具を前記基板側へ移動させると、前記基板に押し当てられた前記爪の先端が、前記治具が前記基板側へ移動するのに伴って前記基板の表面上を摺動し、前記基板と前記封止部材の間に差し入れられる、封止部材の取り外し方法。
［２］前記取り外し工程において、前記爪の先端が、前記基板と前記発光素子の間に差し入れられ、前記発光素子が前記封止部材とともに取り外される、上記［１］に記載の封止部材の取り外し方法。
［３］前記取り外し工程において、前記封止部材を加熱しながら取り外す、上記［１］又は［２］に記載の封止部材の取り外し方法。
［４］前記爪が板バネ材からなる、上記［１］〜［３］のいずれか１項に記載の封止部材の取り外し方法。
［５］前記発光素子が、前記基板にフリップチップ実装され、前記基板と前記発光素子の間に前記封止部材の一部が入り込んでいる、上記［１］〜［４］のいずれか１項に記載の封止部材の取り外し方法。
［６］前記基板が、板状の基材と、前記基材上の配線と、前記基板の最表面に設けられた、前記基材及び配線よりも摩擦係数が小さい滑り層を有し、前記取り外し工程において、前記滑り層の表面上を前記爪の先端が摺動する、上記［１］〜［５］のいずれか１項に記載の封止部材の取り外し方法。
［７］前記滑り層が白色レジストである、上記［６］に記載の封止部材の取り外し方法。
［８］前記取り外し工程において、前記基板における前記発光素子が接続される配線が存在しない領域上を前記爪の先端が摺動する、上記［１］〜［７］のいずれか１項に記載の封止部材の取り外し方法。
［９］基板に実装された発光素子の取り外し方法であって、素子取り外し用の治具に備わる爪の先端を、前記基板と前記発光素子の間に差し入れ、前記発光素子を前記基板から取り外す、取り外し工程を含み、前記取り外し工程において、前記爪を前記基板側に向けた状態で前記治具を前記基板側へ移動させると、前記基板に押し当てられた前記爪の先端が、前記治具が前記基板側へ移動するのに伴って前記基板の表面上を摺動し、前記基板と前記発光素子の間に差し入れられる、発光素子の取り外し方法。
［１０］基板に実装された不良の発光素子、前記不良の発光素子を封止する封止部材、又は前記不良の発光素子及び前記封止部材を取り外すための取り外し用治具であって、基材と、前記基材に固定された爪と、を備え、前記爪を前記基板側に向けた状態で前記取り外し用治具を前記基板側へ移動させると、前記基板に押し当てられた前記爪の先端が、前記取り外し用治具が前記基板側へ移動するのに伴って前記基板の表面上を摺動する、取り外し用治具。
【発明の効果】
【００１０】
本発明によれば、良品である発光素子を封止する封止部材の信頼性に悪影響を及ぼさないように、不良の発光素子を封止する封止部材を効率的に取り外すことができる、封止部材の取り外し方法、その方法を応用した発光素子の取り外し方法、及びそれらの方法に用いる取り外し用治具を提供することができる。
【図面の簡単な説明】
【００１１】
【図１】図１は、本発明の第１の実施の形態に係るリワーク装置の構成を概略的に示す模式図である。
【図２】図２（ａ）は、第１の実施の形態に係る治具の構成の例を示す垂直断面図である。図２（ｂ）は、治具の動作を模式的に示す垂直断面図である。
【図３】図３（ａ）〜（ｄ）は、第１の実施の形態に係るリワークの流れの一例を示す垂直断面図である。
【図４】図４（ａ）〜（ｄ）は、第１の実施の形態に係るリワークの流れの一例を示す垂直断面図である。
【図５】図５（ａ）は、配線が発光素子から直線状に延びている場合の、２つの爪の先端の好ましい摺動方向を模式的に示す上面図である。図５（ｂ）は、図５（ａ）に示される発光素子と配線、及びその周辺部材の、配線の長さ方向に直交する垂直断面図である。
【図６】図６は、残渣の状態を示す平面図である。
【図７】図７（ａ）〜（ｃ）は、第２の実施の形態に係るリワークの流れの一例を示す垂直断面図である。
【図８】図８（ａ）、（ｂ）は、本発明の変形例に係る発光装置の垂直断面図である。
【発明を実施するための形態】
【００１２】
〔第１の実施の形態〕
図１は、本発明の第１の実施の形態に係るリワーク装置３０の構成を概略的に示す模式図である。
【００１３】
リワーク装置３０は、ベース３１と、ベース３１上の前面側に設けられた基板移動機構３２と、基板移動機構３２に鉛直方向（上下方向）及び水平方向（前後左右方向）に移動可能に支持される基板ホルダー３３と、ベース３１上の背面側に設けられた筐体３４と、筐体３４に鉛直方向に移動可能に支持されるヘッド部３５と、を備える。
【００１４】
ヘッド部３５は、基板ホルダー３３の上方に、基板ホルダー３３に保持される基板２０に対して各種処理を実施するための治具１０などの治具を接続するための接続部３５ａを有する。
【００１５】
ヒーター３６は、発光素子の実装などの際に基板２０を加熱するためのヒーターであり、例えば、ホットエアー方式のヒーター、遠赤外線方式のヒーター、又はこれらの組み合わせから構成される非接触加熱式のエリアヒーターである。また、ホットエアー方式のヒーターなどの非接触加熱式のヒーター、又は接触加熱式のヒーターが接続部３５ａに含まれていてもよい。接続部３５ａのヒーターは、基板２０を上方から加熱するトップヒーターである。また、リワーク装置３０は、基板ホルダー３３の下の治具１０の直下に位置する接触加熱式のボトムヒーターを備えていてもよい。
【００１６】
リワーク装置３０としては、例えば、デンオン機器株式会社製のＲＤ−５００ＳＶを用いることができる。
【００１７】
ヘッド部３５の接続部３５ａに接続される治具１０は、基板ホルダー３３に保持される基板２０に実装された、不良の発光素子及びそれを封止する封止部材を取り外すための治具である。
【００１８】
図２（ａ）は、第１の実施の形態に係る治具１０の構成の例を示す垂直断面図である。治具１０は、基材１１と、固定部１３により基材１１に固定された、不良の発光素子及びそれを封止する封止部材を基板２０から取り外すための２つの爪１２を有する。
【００１９】
図２（ｂ）は、治具１０の動作を模式的に示す垂直断面図である。リワーク装置３０のヘッド部３５を下降させて、２つの爪１２を基板２０側に向けた状態で治具１０を基板２０側へ移動させると、基板２０に押し当てられた２つの爪１２の先端１２ａが、治具１０が基板２０側へ移動するのに伴って閉じるように基板２０の表面上を摺動する。
【００２０】
このとき、２つの爪１２の先端１２ａの間に発光素子があれば、２つの爪１２の先端１２ａが基板２０と発光素子の間に発光素子の両側から差し入れられ、発光素子及び発光素子を覆う封止部材を基板２０から取り外すことができる。
【００２１】
基材１１の材料や形状は、特に限定されない。爪１２の材料や形状は、図２（ｂ）に示される動作が可能なものであれば、特に限定されない。図２（ａ）に示される例では、爪１２は板バネ材から構成される。固定部１３の構成は特に限定されない。図２（ａ）に示される例では、固定部１３はネジ、ナット、ワッシャーで構成される。
【００２２】
なお、治具１０に備わる爪１２は１つでもよい。その場合、１つの爪１２が基板２０の表面上を摺動し、基板２０と発光素子の間に差し入れられ、発光素子と封止部材を取り外す。しかしながら、発光素子及び封止部材を爪１２で両側から挟み込むことにより、より取り外し易くなるため、治具１０は２つの爪１２を備えることが好ましい。以下、治具１０が２つの爪１２を備える場合について説明する。
【００２３】
また、基板２０と発光素子との接合強度が高くなく、比較的取り外しが容易な場合は、爪１２の先端１２ａを基板２０と封止部材との間に差し入れ、持ち上げることにより、封止部材に密着する発光素子を封止部材とともに取り外すことができる。すなわち、爪１２の先端１２ａを基板２０と発光素子の間にまで差し入れなくても、基板２０と封止部材との間に差し入れれば、発光素子を基板２０から取り外すことができる。より確実に発光素子を封止部材とともに取り外したい場合は、爪１２の先端１２ａを基板２０と発光素子の間にまで差し入れることが好ましい。
【００２４】
爪１２の先端１２ａを基板２０と封止部材との間に差し入れ、封止部材を取り外す場合、基板２０と発光素子との接合強度などによっては、発光素子が封止部材とともに取り外されない場合がある。治具１０は、このような場合に、基板２０上に残された封止されていない発光素子を取り外すこともできる。また、発光素子の実装位置がずれた場合など、発光素子の問題が封止前に判明した場合に、封止されていない発光素子を治具１０により取り外すこともできる。
【００２５】
ヘッド部３５の接続部３５ａに接続できる治具としては、治具１０の他に、例えば、半田供給、半田除去、チップ実装用のものがある。これらの治具は、ヘッド部３５の接続部３５ａに適宜付け替えることができる。
【００２６】
以下、基板２０に実装された発光素子及びそれを封止する封止部材を基板２０から取り外し、新たな発光素子及び封止部材を実装する（以下、リワークと呼ぶ）方法について説明する。
【００２７】
図３（ａ）〜（ｄ）、図４（ａ）〜（ｄ）は、第１の実施の形態に係るリワークの流れの一例を示す垂直断面図である。
【００２８】
まず、図３（ａ）に示される様に、治具１０の２つの爪１２の先端１２ａで、基板２０に実装された発光素子２４を封止する封止部材２６を両側から挟み込む。
【００２９】
具体的には、リワーク装置３０のヘッド部３５を下降させて、治具１０の２つの爪１２の先端１２ａを基板２０の表面に押し当てて、基板２０の表面上を閉じるように摺動させ、封止部材２６を両側から挟み込む。
【００３０】
ここで、基板２０は、板状の基材２１と、基材２１の表面上に形成された配線２２とを有する。発光素子２４は、半田２５により配線２２に接続されている。
【００３１】
また、基板２０は、図３（ａ）に示される様に、基板２０の最表面に設けられた、基材２１及び配線２２よりも摩擦係数が小さい滑り層２３を有することが好ましい。この場合、爪１２の先端１２ａに基板２０の滑り層２３の表面を摺動させることにより、先端１２ａの摺動がスムーズになり、発光素子２４及び封止部材２６の取り外しが容易になる、基板２０の損傷が抑えられるなどの効果が得られる。
【００３２】
滑り層２３は、白色レジストであることが好ましい。この場合、上述の滑り層の効果に加えて、基板２０の表面の反射率を向上させて発光装置の発光強度を向上させるなどの効果を得ることができる。
【００３３】
発光素子２４は、例えば、チップ基板と、発光層及びそれを挟むＰ層とＮ層を含む結晶層とを有するＬＥＤチップである。図３（ａ）に示される例では、発光素子２４は基板２０にフリップチップ実装されている。フリップチップ実装の場合、フェイスアップ実装の場合と比較して、発光素子２４と基板２０との間隔が大きいため、治具１０の２つの爪１２の先端１２ａを基板２０と発光素子２４の間に差し入れやすい。すなわち、本実施の形態に方法により、発光素子２４及び封止部材２６を取り外しやすい。さらに、基板２０と発光素子２４の間（基板２０と発光素子２４を接合するバンプや半田の間）に封止部材２６の一部が入り込んでいることが好ましい。この場合、発光素子２４を封止部材２６とともに持ち上げ、取り外すことが容易になる。なお、発光素子２４は、レーザーダイオード等のＬＥＤチップ以外の発光素子であってもよい。
【００３４】
本実施の形態において基板２０から取り外される発光素子２４は、直下型バックライトなどの発光装置に実装された多数の発光素子のうちの、実装後に不良が判明した発光素子である。
【００３５】
封止部材２６は、シリコーンやエポキシなどの透明樹脂からなる。また、封止部材２６は、典型的には、ダムを用いずに滴下した樹脂を硬化させることにより形成され、表面が凸状の曲面であるレンズ形状を有し、発光素子２４のレンズとして機能する。
【００３６】
次に、図３（ｂ）に示される様に、治具１０をさらに基板２０へ近づけて、２つの爪１２の先端１２ａを基板２０の表面上をさらに摺動させる。これによって、封止部材２６を基板から剥離させつつ、２つの爪１２の先端１２ａを発光素子２４の両側から基板２０と発光素子２４の間に差し入れる。
【００３７】
そして、２つの爪１２の先端１２ａを基板２０の表面上をさらに摺動させることにより、発光素子２４を封止部材２６とともに基板２０から剥離させ、発光素子２４及び封止部材２６を同時に基板２０から取り除く。
【００３８】
爪１２の先端１２ａが基板２０と発光素子の間に容易に差し入れられるようにするため、先端１２ａの厚さは、基板２０と発光素子の間隔よりも小さいことが好ましい。
【００３９】
上述の発光素子２４及び封止部材２６を基板２０から剥離させる工程は、ヒーター３６などの各種ヒーターを用いて封止部材２６を加熱した状態で実施することが好ましい。この場合、封止部材２６の取り切れずに残る部分の量を減らすことができる。
【００４０】
図３（ｃ）に示される様に、発光素子２４及び封止部材２６を取り除いた後、完全に取り切れなかった封止部材２６の一部が基板２０上に残る。
【００４１】
図３（ｃ）に示される様に、封止部材２６の発光素子２４の下に位置していた部分や、封止部材２６の外縁（封止部材２６の底面の輪郭）部分が除去されずに残渣として残ることが多い。ここで、封止部材２６の外縁に残った残渣を残渣２６ａ、発光素子２４の下にあった部分に残った残渣を２６ｂとする。
【００４２】
次に、図３（ｄ）に示される様に、基板２０上から半田２５を除去する。具体的には、例えば、吸引機能付きの治具を用いて、半田２５を溶融させながら吸引して除去する。半田２５の除去は、このような吸引機能付きの治具を用いて、リワーク装置３０において実施することができる。
【００４３】
次に、図４（ａ）に示される様に、基板２０の表面にバフ研磨などの封止部材２６の残渣を除去するための処理を施す。これによって、基板２０の表面上に突出して残った残渣２６ａなどが除去される。
【００４４】
次に、図４（ｂ）に示される様に、基板２０上の半田２５が除去された部分に新たに半田１２５を供給する。半田１２５の供給は、二股のスタンプツールなどの半田供給用の治具を用いて、リワーク装置３０において実施することができる。
【００４５】
次に、図４（ｃ）に示される様に、基板２０上に新たに発光素子１２４を実装する。このとき、発光素子１２４の電極が半田１２５の上に乗るように、発光素子１２４を実装する。すなわち、発光素子２４の実装位置に発光素子１２４を実装する。発光素子１２４の実装は、素子実装用の治具を用いて、リワーク装置３０において実施することができる。
【００４６】
そして、基板２０を加熱して、半田１２５により基板２０の配線２２と発光素子１２４をリフロー半田付けする。基板２０の加熱は、ヒーター３６や基板２０を上方から加熱するヒーターを用いて、リワーク装置３０において実施することができる。
【００４７】
次に、図４（ｄ）に示される様に、基板２０上の封止部材２６が除去された部分に新たに封止部材１２６を形成する。封止部材１２６は、滴下法などにより形成される。
【００４８】
上述のリワーク工程を、不良であることが判明した全ての発光素子２４及びそれを封止する封止部材２６に対して実施することにより、直下型バックライトなどの複数の発光素子を実装した発光装置であって、不良の発光素子２４が発光素子１２４に交換された発光装置１が得られる。
【００４９】
なお、上述のリワーク工程は、発光素子２４が封止部材２６に封止されていない場合にも適用することができる。すなわち、発光素子２４と封止部材２６を取り外す上記の方法を応用して、封止されていない発光素子２４を取り外すことができる。
【００５０】
なお、発光素子２４及び封止部材２６を基板２０から取り外す工程においては、基板２０における配線２２が存在しない領域上を爪１２の先端１２ａが摺動することが好ましい。基板２０の配線２２が存在しない領域上では、配線２２が存在する領域上と比較して、配線２２の厚さ分だけ爪１２の先端１２ａの位置が低くなるため、先端１２ａを基板２０と発光素子２４の間に差し入れることが容易になる。すなわち、基板２０からの発光素子２４及び封止部材２６の取り外しが容易になる。
【００５１】
図５（ａ）は、配線２２が発光素子２４から直線状に延びている場合の、２つの爪１２の先端１２ａの好ましい摺動方向を模式的に示す上面図である。なお、図５（ａ）においては、配線２２と発光素子２４以外の部材の図示を省略している。
【００５２】
図５（ｂ）は、図５（ａ）に示される発光素子２４と配線２２、及びその周辺部材の、配線２２の長さ方向に直交する垂直断面図である。
【００５３】
図５（ａ）、（ｂ）に示されるように、配線２２が発光素子２４から直線状に延びている場合、２つの爪１２の先端１２ａの摺動方向を、配線２２の長さ方向に直交させることにより、先端１２ａを基板２０と発光素子２４の間に容易に差し入れることができる。
【００５４】
また、封止部材２６を基板から取り外す方法として、先端が金属製の吸引装置に熱を加え、封止部材２６に押し当て、封止部材２６を崩しながら吸引して除去する方法を用いてもよい。この方法は、加熱可能な吸引用の治具を用いて、リワーク装置３０において実施することができる。
【００５５】
また、封止部材２６を基板から取り外す方法として、日本精密機械工作株式会社製のリューターなどのグラインダーを用いて封止部材２６を削り取る方法を用いてもよい。この方法によれば、グラインダーにより綿棒などの繊維素材を回転させながら封止部材２６に押し当て、削り取ることができる。
【００５６】
また、封止部材２６を基板から取り外す方法として、加熱した半田ごてを封止部材２６に接触させ、熱により変質して浮いた封止部材２６を半田ごてで擦り切って取り外す方法を用いてもよい。
【００５７】
〔第２の実施の形態〕
本発明の第２の実施の形態は、封止部材２６の残渣２６ａを封止部材１２６の製造に利用する点において、第１の実施の形態と異なる。なお、第１の実施の形態と同様の点（物の構成や処理工程など）については、その説明を省略又は簡略化する。
【００５８】
以下、第２の実施の形態に係るリワーク方法について説明する。
【００５９】
まず、図３（ａ）〜（ｄ）に示される、半田２５を除去するまでの工程を、第１の実施の形態と同様に実施する。
【００６０】
第２の実施の形態では、封止部材２６の外縁の残渣２６ａを残したままで、封止部材１２６の形成を行う。このため、半田２５を除去した後、残渣２６ａを残すため、例えば、封止部材２６の残渣の総量などに応じて、図４（ａ）に示される残渣の除去処理を省いたり、残渣２６ａが残る程度に残渣の除去処理を実施したりする。
【００６１】
ここで、残渣２６ａは、基板２０上の封止部材２６の外縁の少なくとも一部に残されるが、後述するダムとしての機能を優れたものにするため、封止部材２６の外縁の全周に渡って残されることが好ましい。例えば、封止部材２６の平面視での形状が円形である場合は、残渣２６ａが不連続な円形に残されてもよいが、完全に連続した円形に残されることが好ましい。
【００６２】
また、封止部材１２６の形成後の光学特性への影響を抑えるため、残渣２６ａの高さは、５０μｍ以下であることが好ましい。
【００６３】
図６は、残渣２６ａの状態を示す平面図である。図６に示されるように、残渣２６ａは、その内周面２６０に凹凸を有する。この内周面２６０の凹凸は、封止部材２６を取り外す際に形成されるものである。この内周面２６０の凹凸の存在により、後述する封止部材１２６と残渣２６ａの密着性が高まり、封止部材１２６の剥離が抑制される。
【００６４】
図７（ａ）〜（ｃ）は、半田２５を除去した後の第２の実施の形態に係るリワークの流れの一例を示す垂直断面図である。
【００６５】
まず、図７（ａ）に示される様に、封止部材２６の外縁の残渣２６ａを残したままで、半田１２５を供給する。
【００６６】
次に、図７（ｂ）に示される様に、基板２０上の発光素子２４の実装位置に発光素子１２４を実装する。そして、基板２０を加熱して、半田１２５により基板２０の配線２２と発光素子１２４をリフロー半田付けする。
【００６７】
次に、図７（ｃ）に示される様に、基板２０上の残渣２６ａの内側に滴下法などにより樹脂を供給し、封止部材１２６を形成する。このとき、封止部材２６の外縁の残渣２６ａがダムとして機能するため、封止部材１２６の形状やサイズの制御が容易であり、除去された封止部材２６と近い形状やサイズで封止部材１２６を形成することができる。このため、封止部材２６を封止部材１２６へ交換することによる発光特性への悪影響を抑えることができる。
【００６８】
また、残渣２６ａをダムとして用いることにより、発光素子２４及び封止部材２６を基板２０から取り外す工程において、爪１２の先端１２ａの摺動などにより基板２０の表面にキズが付いている場合であっても、封止部材１２６の形状やサイズを制御することができる。
【００６９】
封止部材１２６の材料として、封止部材２６と同様の材料（樹脂組成物）を用いることができる。また、封止部材１２６の材料は、封止部材２６の材料、すなわち残渣２６ａの材料と同一であることが好ましい。この場合、封止部材１２６と残渣２６ａの密着性が高まり、封止部材１２６の剥離が抑制される。
【００７０】
上述のリワーク工程を、不良であることが判明した全ての発光素子２４及びそれを封止する封止部材２６に対して実施することにより、直下型バックライトなどの複数の発光素子を実装した発光装置であって、不良の発光素子２４が発光素子１２４に交換された発光装置２が得られる。
【００７１】
発光装置２において、残渣２６ａは、発光素子１２４を囲むように位置している。そして、新たに形成された封止部材１２６は残渣２６ａをダムとして利用して形成されているため、封止部材１２６の外縁（底面の輪郭）が残渣２６ａに接している。残渣２６ａが封止部材２６の外縁の一部に残されている場合は、封止部材１２６の外縁の一部が残渣２６ａに接し、残渣２６ａが封止部材２６の外縁の全周に渡って残されている場合は、封止部材１２６の外縁がその全周に渡って残渣２６ａに接する。
【００７２】
（実施の形態の効果）
上記第１及び第２の実施の形態によれば、不良の発光素子を封止部材とともに効率的に取り外すことができる。また、この方法によれば、剥離層や空気層を用いる上記特許文献１に記載の方法と異なり、良品である発光素子を封止する封止部材の信頼性に悪影響を及ぼすことがない。
【００７３】
以上、本発明の実施の形態を説明したが、本発明は、上記の実施の形態に限定されず、発明の主旨を逸脱しない範囲内において種々変形実施が可能である。
【００７４】
例えば、図８（ａ）、（ｂ）に示されるように、発光装置１又は発光装置２の封止部材１２６の上に、封止部材１２６の中心かつ発光素子１２４の直上の領域を覆う遮光部２７を設けてもよい。この場合、発光素子１２４の直上の明るさを抑えることができるため、発光装置１又は発光装置２をバックライトなどに好適に用いることができる。遮光部２７は、例えば、封止部材１２６の上面に印刷された印刷層である。遮光部２７が黒色材料などの発光素子１２４の光を吸収する材料からなる場合は、乱光を防止することができる。
【００７５】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００７６】
１０               治具
１２               爪
１２ａ             先端
２０               基板
２１               基材
２２               配線
２３               滑り層
２４、１２４       発光素子
２５、１２５       半田
２６、１２６       封止部材
２６ａ             残渣
【図１】
2020102510.tif 000003
【図２】
2020102510.tif 000004
【図３】
2020102510.tif 000005
【図４】
2020102510.tif 000006
【図５】
2020102510.tif 000007
【図６】
2020102510.tif 000008
【図７】
2020102510.tif 000009
【図８】
2020102510.tif 000010